(57)【要約】【課題】  第１の交換局ＳＧＳＮ＃１において輻輳や障害が発生した場合に、同一の位置登録エリアを管理する第２の交換局ＳＧＳＮ＃２に位置登録している移動局ＵＥ＃２が、本来アクセス可能である第２の交換局ＳＧＳＮ＃２に対してアクセスを行うことができるようにする。【解決手段】  無線制御装置ＲＮＣは、移動局ＵＥから送信された信号を、移動局ＵＥに関連付けられている第１の交換局ＳＧＳＮ＃１又は第２の交換局ＳＧＳＮ＃２に対して転送する転送部２６と、第１の交換局ＳＧＳＮ＃１及び第２の交換局ＳＧＳＮ＃２の状態を監視する監視部２５とを具備する。監視部２５は、第１の交換局ＳＧＳＮ＃１に対してアクセス不能であることを検知した場合、転送部２６は、第１の交換局ＳＧＳＮ＃１に関連付けられている移動局ＵＥ＃１からの信号を第２の交換局ＳＧＳＮ＃２に転送する。【選択図】  図４
2005295234.tif 000002
【特許請求の範囲】
【請求項１】
同一の位置登録エリアを管理する少なくとも第１の交換局及び第２の交換局に接続されている無線制御装置であって、
前記無線制御装置配下の移動局と、前記第１の交換局又は前記第２の交換局とを関連付けて管理する管理部と、
前記移動局から送信された信号を、該移動局に関連付けられている前記第１の交換局又は前記第２の交換局に対して転送する転送部と、
前記第１の交換局及び前記第２の交換局の状態を監視する監視部とを具備し、
前記監視部が、前記第１の交換局に対してアクセス不能であることを検知した場合、前記転送部は、前記第１の交換局に関連付けられている移動局からの信号を、前記第２の交換局に転送することを特徴とする無線制御装置。
【請求項２】
前記監視部は、前記第１の交換局から、該第１の交換局において輻輳又は障害が発生した旨を示す状態情報を受信することによって、前記第１の交換局に対してアクセス不能であることを検知することを特徴とする請求項１に記載の無線制御装置。
【請求項３】
前記監視部は、前記第１の交換局から、該第１の交換局における負荷を示す状態情報を受信しており、該第１の交換局における負荷に応じて、前記第１の交換局に関連付けられている移動局からの信号を前記第２の交換局に転送する割合を決定することを特徴とする請求項１に記載の無線制御装置。
【請求項４】
前記管理部は、前記無線制御装置配下の移動局が前記第１の交換局又は前記第２の交換局に対して位置登録処理を完了した後に、該移動局に割り当てられた一時的なユーザ識別子と、前記第１の交換局又は前記第２の交換局とを関連付けて管理することを特徴とする請求項１に記載の無線制御装置。
【請求項５】
前記監視部が、前記第１の交換局に対してアクセス可能であることを検知した場合、前記転送部は、前記第１の交換局に関連付けられている移動局からの信号を、前記第１の交換局に転送することを特徴とする請求項１に記載の無線制御装置。
【請求項６】
前記監視部が、前記第１の交換局に対してアクセス不能であることを検知した場合、前記転送部は、前記第１の交換局に関連付けられている移動局からの特定信号を前記第２の交換局に転送し、前記第１の交換局に関連付けられている移動局からの特定信号以外の信号を前記第１の交換局に転送することを特徴とする請求項１に記載の無線制御装置。
【請求項７】
無線制御装置と、同一の位置登録エリアを管理する第１の交換局及び第２の交換局とによって行われる移動通信方法であって、
移動局が、前記無線制御装置に対して位置登録要求を送信する工程と、
前記無線制御装置が、前記第１の交換局に対して前記移動局からの前記位置登録要求を転送すると共に、前記移動局と前記第１の交換局とを関連付けて管理する工程と、
前記無線制御装置が、前記第１の交換局に対してアクセス不能であることを検知する工程と、
前記無線制御装置が、前記移動局からの信号を前記第２の交換局に転送する工程と、
前記移動局が、前記第２の交換局に対して位置登録処理を行う工程とを有することを特徴とする移動通信方法。
【発明の詳細な説明】
【技術分野】
【０００１】
本発明は、無線制御装置と、同一の位置登録エリアを管理する第１の交換局及び第２の交換局とによって行われる移動通信方法、及び、かかる移動通信方法に用いられる無線制御装置に関する。
【背景技術】
【０００２】
従来、同一の位置登録エリアを複数の交換局で管理することによって、各交換局における処理負荷の分散を図ることができる移動通信システムが知られている。図４（ａ）を参照して、かかる移動通信システムについて説明する。
【０００３】
かかる移動通信システムでは、図４（ａ）に示すように、無線制御装置ＲＮＣが、所定のインターフェイス（例えば、Ｉｕ-ｆｌｅｘインターフェイス）で、同一の位置登録エリアを管理する第１のパケット交換サービス用交換局ＳＧＳＮ＃１及び第２のパケット交換サービス用交換局ＳＧＳＮ＃２に接続されている。
【０００４】
無線制御装置ＲＮＣは、配下の移動局ＵＥからの位置登録要求を受信した場合、各パケット交換サービス用交換局ＳＧＳＮの負荷状況に応じて、当該移動局ＵＥの位置登録処理を行うパケット交換サービス用交換局ＳＧＳＮを決定し、決定したパケット交換サービス用交換局ＳＧＳＮに対して当該移動局ＵＥからの移動登録要求を転送する。
【０００５】
図４（ａ）では、移動局ＵＥ＃１が、第１のパケット交換サービス用交換局ＳＧＳＮ＃１に対して位置登録しており、第１のパケット交換サービス用交換局ＳＧＳＮ＃１を介して各種パケット交換サービス用信号を送信している。
【０００６】
一方、移動局ＵＥ＃１と同一の位置登録エリアに在圏する移動局ＵＥ＃２は、第２のパケット交換サービス用交換局ＳＧＳＮ＃２に対して位置登録しており、第２のパケット交換サービス用交換局ＳＧＳＮ＃２を介して各種パケット交換サービス用信号を送信している。
【非特許文献１】3GPP標準仕様 TS 23.236 「Intra-domain connection of Radio Access Network (RAN) nodes to multiple Core Network (CN) nodes」
【非特許文献２】3GPP標準仕様 TS 25.331 「Radio Resource Control (RRC) protocol specification」
【発明の開示】
【発明が解決しようとする課題】
【０００７】
しかしながら、従来の移動通信システムでは、同一の位置登録エリアを管理する複数のパケット交換サービス用交換局ＳＧＳＮのうち、一つのパケット交換サービス用交換局ＳＧＳＮにおいて輻輳や障害が発生した場合、当該パケット交換サービス用交換局ＳＧＳＮに位置登録している移動局ＵＥだけでなく、当該位置登録エリアを管理する他のパケット交換サービス用交換局ＳＧＳＮに位置登録している移動局ＵＥも、位置登録先のパケット交換サービス用交換局ＳＧＳＮに対して各種パケット交換サービス用信号を送信することができない、すなわち、パケット交換サービスを利用することができなくなるという問題点があった。
【０００８】
具体的には、図４（ｂ）に示すように、ステップＳ１において、第１のパケット交換サービス用交換局ＳＧＳＮ＃１において輻輳や障害が発生した場合、ステップＳ２において、第１のパケット交換サービス用交換局ＳＧＳＮ＃１は、その旨を通知する状態信号を無線制御装置ＲＮＣに送信する。
【０００９】
ステップＳ３において、無線制御装置ＲＮＣは、パケット交換サービスドメインに対するアクセスを規制するアクセス制限信号を移動局ＵＥに対して送信する。
【００１０】
ここで、従来の移動通信システムでは、無線制御装置ＲＮＣが、アクセス制限信号において、輻輳や障害が発生した第１のパケット交換サービス用交換局ＳＧＳＮ＃１を特定することができない。したがって、ステップＳ４において、移動局ＵＥ＃１が、受信したアクセス制限信号に応じて第１のパケット交換サービス用交換局ＳＧＳＮ＃１宛ての各種パケット交換サービス用信号の送信を停止すると共に、ステップＳ５において、移動局ＵＥ＃２も、受信したアクセス制限信号に応じて第２のパケット交換サービス用交換局ＳＧＳＮ＃２宛ての各種パケット交換サービス用信号の送信を停止する。
【００１１】
そこで、本発明は、以上の点に鑑みてなされたもので、第１のパケット交換サービス用交換局において輻輳や障害が発生した場合に、同一の位置登録エリアを管理する第２のパケット交換サービス用交換局に位置登録している移動局が、本来アクセス可能である第２のパケット交換サービス用交換局に対してアクセスを行うことができる移動通信方法、及び、かかる移動通信方法に用いられる無線制御装置を提供することを目的とする。
【課題を解決するための手段】
【００１２】
本発明の第１の特徴は、同一の位置登録エリアを管理する第１の交換局及び第２の交換局に接続されている無線制御装置であって、前記無線制御装置配下の移動局と、前記第１の交換局又は前記第２の交換局とを関連付けて管理する管理部と、前記移動局から送信された信号を、該移動局に関連付けられている前記第１の交換局又は前記第２の交換局に対して転送する転送部と、前記第１の交換局及び前記第２の交換局の状態を監視する監視部とを具備し、前記監視部が、前記第１の交換局に対してアクセス不能であることを検知した場合、前記転送部が、前記第１の交換局に関連付けられている移動局からの信号を、前記第２の交換局に転送することを要旨とする。
【００１３】
本発明の第１の特徴において、前記監視部が、前記第１の交換局から、該第１の交換局において輻輳又は障害が発生した旨を示す状態情報を受信することによって、前記第１の交換局に対してアクセス不能であることを検知するように構成されていてもよい。
【００１４】
本発明の第１の特徴において、前記監視部が、前記第１の交換局から、該第１の交換局における負荷を示す状態情報を受信しており、該第１の交換局における負荷に応じて、前記第１の交換局に関連付けられている移動局からの信号を前記第２の交換局に転送する割合を決定するように構成されていてもよい。
【００１５】
本発明の第１の特徴において、前記管理部が、前記無線制御装置配下の移動局が前記第１の交換局又は前記第２の交換局に対して位置登録処理を完了した後に、該移動局に割り当てられた一時的なユーザ識別子（ＴＭＳＩ）と、前記第１の交換局又は前記第２の交換局とを関連付けて管理するように構成されていてもよい。
【００１６】
本発明の第１の特徴において、前記監視部が、前記第１の交換局に対してアクセス可能であることを検知した場合、前記転送部は、前記第１の交換局に関連付けられている移動局からの信号を、前記第１の交換局に転送するように構成されていてもよい。
【００１７】
本発明の第１の特徴において、前記監視部が、前記第１の交換局に対してアクセス不能であることを検知した場合、前記転送部は、前記第１の交換局に関連付けられている移動局からの特定信号を前記第２の交換局に転送し、前記第１の交換局に関連付けられている移動局からの特定信号以外の信号を前記第１の交換局に転送するように構成されていてもよい。
【００１８】
本発明の第２の特徴は、無線制御装置と、同一の位置登録エリアを管理する第１の交換局及び第２の交換局とによって行われる移動通信方法であって、移動局が、前記無線制御装置に対して位置登録要求を送信する工程と、前記無線制御装置が、前記第１の交換局に対して前記移動局からの前記位置登録要求を転送すると共に、前記移動局と前記第１の交換局とを関連付けて管理する工程と、前記無線制御装置が、前記第１の交換局に対してアクセス不能であることを検知する工程と、前記無線制御装置が、前記移動局からの信号を前記第２の交換局に転送する工程と、前記移動局が、前記第２の交換局に対して位置登録処理を行う工程とを有することを要旨とする。
【発明の効果】
【００１９】
以上説明したように、本発明によれば、第１のパケット交換サービス用交換局において輻輳や障害が発生した場合に、同一の位置登録エリアを管理する第２のパケット交換サービス用交換局に位置登録している移動局が、本来アクセス可能である第２のパケット交換サービス用交換局に対してアクセスを行うことができる移動通信方法、及び、かかる移動通信方法に用いられる無線制御装置を提供することができる。
【発明を実施するための最良の形態】
【００２０】
（本発明の一実施形態に係る移動通信システムの構成）
図１を参照して、本発明の一実施形態に係る移動通信システムについて説明する。本実施形態に係る移動通信システムの全体構成は、図４に示す従来の移動通信システムの全体構成と同一である。以下、本実施形態に係る移動通信システムの構成について、従来の移動通信システムの構成との相違点を主として説明する。
【００２１】
本実施形態に係る無線制御装置ＲＮＣは、同一の位置登録エリア（例えば、ルーティングエリアやロケーションエリア等）を管理する第１のパケット交換サービス用交換局（ノード）ＳＧＳＮ＃１及び第２のパケット交換サービス用交換局（ノード）ＳＧＳＮ＃２に接続されている。
【００２２】
図１に示すように、無線制御装置ＲＮＣは、ＳＧＳＮ＃１インターフェイス２１と、ＳＧＳＮ＃２インターフェイス２２と、ＵＥインターフェイス２３と、ＵＥ管理部２４と、ＳＧＳＮ状態監視部２５と、信号処理部２６とを具備している。
【００２３】
ＳＧＳＮ＃１インターフェイス２１は、第１のパケット交換サービス用交換局ＳＧＳＮ＃１との間の通信インターフェイスであり、ＳＧＳＮ＃２インターフェイス２２は、第２のパケット交換サービス用交換局ＳＧＳＮ＃２との間の通信インターフェイスであり、ＵＥインターフェイス２３は、無線制御装置ＲＮＣ配下の移動局ＵＥ＃１及びＵＥ＃２との間の通信インターフェイスである。なお、ＳＧＳＮ＃１インターフェイス２１及びＳＧＳＮ＃２インターフェイス２２は、Ｉｕ-ｆｌｅｘインターフェイスを構成する。
【００２４】
ＵＥ管理部２４は、無線制御装置ＲＮＣ配下の移動局ＵＥと、第１のパケット交換サービス用交換局ＳＧＳＮ＃１又は第２のパケット交換サービス用交換局ＳＧＳＮ＃２とを関連付けて管理するものである。
【００２５】
具体的には、図１に示すように、ＵＥ管理部２４は、無線制御装置ＲＮＣ配下の移動局ＵＥが、第１のパケット交換サービス用交換局ＳＧＳＮ＃１又は第２のパケット交換サービス用交換局ＳＧＳＮ＃２に対して位置登録処理を完了した後に、信号処理部２６からの指示に応じて、当該移動局ＵＥのＴＭＳＩ（一時的なユーザ識別子：Ｔｅｍｐｏｒａｒｙ  Ｍｏｂｉｌｅ  Ｓｕｂｓｃｒｉｂｅｒ  Ｉｄｅｎｔｉｔｉｙ）と、第１のパケット交換サービス用交換局ＳＧＳＮ＃１又は第２のパケット交換サービス用交換局ＳＧＳＮ＃２の識別子とを関連付けて管理するように構成されている。
【００２６】
図１の例では、移動局ＵＥ＃１が第１のパケット交換サービス用交換局ＳＧＳＮ＃１に位置登録しており、移動局ＵＥ＃２が第２のパケット交換サービス用交換局ＳＧＳＮ＃２に位置登録しているため、ＵＥ管理部２４は、移動局ＵＥ＃１のＴＭＳＩ「ＵＥ＃１＿ＴＭＳＩ」と、第１のパケット交換サービス用交換局ＳＧＳＮ＃１「＃１」とを関連付けていると共に、移動局ＵＥ＃２のＴＭＳＩ「ＵＥ＃２＿ＴＭＳＩ」と、第２のパケット交換サービス用交換局ＳＧＳＮ＃２「＃２」とを関連付けている。
【００２７】
また、ＵＥ管理部２４は、信号処理部２６からの指示に応じて、各移動局ＵＥの位置登録先のパケット交換サービス用交換局ＳＧＳＮが変更されたことを検知した場合、管理内容を更新する。
【００２８】
ＳＧＳＮ状態監視部２５は、第１のパケット交換サービス用交換局ＳＧＳＮ＃１及び第２のパケット交換サービス用交換局ＳＧＳＮ＃２の状態を監視するものである。
【００２９】
例えば、ＳＧＳＮ状態監視部２５は、各パケット交換サービス用交換局ＳＧＳＮから送信された状態信号に応じて、各パケット交換サービス用交換局ＳＧＳＮに対してアクセス不能になったこと（例えば、各パケット交換サービス用交換局ＳＧＳＮにおいて故障が発生したこと、又は、各パケット交換サービス用交換局ＳＧＳＮの負荷が所定の閾値を超えたこと）を検知するように構成されている。
【００３０】
また、ＳＧＳＮ状態監視部２５は、各パケット交換サービス用交換局ＳＧＳＮから送信された状態信号に応じて、各パケット交換サービス用交換局ＳＧＳＮに対してアクセス可能になったこと（各パケット交換サービス用交換局ＳＧＳＮにおいて故障が回復したこと、又は、各パケット交換サービス用交換局ＳＧＳＮの負荷が所定の閾値以下となったこと）を検知するように構成されている。
【００３１】
また、ＳＧＳＮ状態監視部２５は、各パケット交換サービス用交換局ＳＧＳＮから送信された状態信号に応じて、各パケット交換サービス用交換局ＳＧＳＮにおける負荷を監視するように構成されていてもよい。
【００３２】
信号処理部２６は、各インターフェイス２１乃至２３を介して送受信する信号についての所定の処理を行うものである。
【００３３】
具体的には、信号処理部２６は、無線制御装置ＲＮＣ配下の移動局ＵＥからの位置登録要求を受信した場合、第１のパケット交換サービス用交換局ＳＧＳＮ＃１及び第１のパケット交換サービス用交換局ＳＧＳＮ＃１の負荷状況に応じて、かかる移動局ＵＥの位置登録先のパケット交換サービス用交換局ＳＧＳＮを決定し、決定したパケット交換サービス用交換局ＳＧＳＮに対してかかる位置登録要求を転送する。
【００３４】
ここで、位置登録要求には、パケット交換サービス用位置登録更新信号（Ｎｏｒｍａｌ  Ｒｏｕｔｉｎｇ  Ａｒｅａ  Ｕｐｄａｔｅ）やパケット交換サービス用アタッチ信号（ＧＰＲＳ  ａｔｔａｃｈ）等が含まれる。
【００３５】
また、信号処理部２６は、無線制御装置ＲＮＣ配下の移動局ＵＥからの各種パケット交換サービス用信号を、当該移動局ＵＥの位置登録先のパケット交換サービス用交換局ＳＧＳＮ、すなわち、ＵＥ管理部２４において当該移動局ＵＥに関連付けられているパケット交換サービス用交換局ＳＧＳＮに対して転送する。各種パケット交換サービス用信号は、パケット交換サービスの利用に際して送信される任意の信号である。
【００３６】
また、信号処理部２６は、ＳＧＳＮ状態監視部２５によって所定のパケット交換サービス用交換局ＳＧＳＮ（第１の交換局）に対してアクセス不能であることが検知された場合、かかるパケット交換サービス用交換局ＳＧＳＮ（第１の交換局）に位置登録されている移動局ＵＥからの各種パケット交換サービス用信号を、アクセス可能である他のパケット交換サービス用交換局ＳＧＳＮ（第２の交換局）に対して転送するように構成されている。
【００３７】
また、信号処理部２６は、ＳＧＳＮ状態監視部２５によって所定のパケット交換サービス用交換局ＳＧＳＮ（第１の交換局）が復旧してアクセス可能となったことが検知された場合、位置登録先を他のパケット交換サービス用交換局ＳＧＳＮに変更していた移動局ＵＥからの各種パケット交換用サービス信号を、所定のパケット交換サービス用交換局ＳＧＳＮ（第１の交換局）に戻すように構成されていてもよい。
【００３８】
また、信号処理部２６は、無線制御装置ＲＮＣ配下の移動局ＵＥの位置登録先が変更された場合、その旨をＵＥ管理部２４に通知する。
【００３９】
例えば、信号処理部２６は、ＳＧＳＮ状態監視部２５によって第１のパケット交換サービス用交換局ＳＧＳＮ＃１に対してアクセス不能であることが検知された場合、第１のパケット交換サービス用交換局ＳＧＳＮ＃１に位置登録されている移動局ＵＥ＃１からの各種パケット交換サービス用信号を第２のパケット交換サービス用交換局ＳＧＳＮ＃２に転送し、移動局ＵＥ＃１の第２のパケット交換サービス用交換局ＳＧＳＮ＃２に対する位置登録が完了した後、その旨をＵＥ管理部２４に通知する。その結果、ＵＥ管理部２４は、移動局ＵＥ＃１に対して新たなＴＭＳＩが付与すると共に、かかるＴＭＳＩを第２のパケット交換サービス用交換局ＳＧＳＮ＃２の識別子に関連付ける。
【００４０】
なお、信号処理部２６は、各パケット交換サービス用交換局ＳＧＳＮに対してアクセス不能になったことを検知した場合であっても、ＵＥインターフェイス２３を介して、無線制御装置ＲＮＣ配下の移動局ＵＥに対して、該当するパケット交換サービス用交換局ＳＧＳＮに対するアクセス制限信号を送信しないように構成されている。
【００４１】
同様に、信号処理部２６は、各パケット交換サービス用交換局ＳＧＳＮに対してアクセス可能になったことを検知した場合も、ＵＥインターフェイス２３を介して、無線制御装置ＲＮＣ配下の移動局ＵＥに対して、該当するパケット交換サービス用交換局ＳＧＳＮに対するアクセス制限解除信号を送信しないように構成されている。
【００４２】
また、信号処理部２６は、ＳＧＳＮ状態監視部２５によって監視されている各パケット交換サービス用交換局ＳＧＳＮの負荷に応じて、各パケット交換サービス用交換局ＳＧＳＮに関連付けられている移動局ＵＥからの各種パケット交換サービス用信号を、他のパケット交換サービス用交換局ＳＧＳＮに転送する割合を決定するように構成されていてもよい。
【００４３】
例えば、信号処理部２６は、各パケット交換サービス用交換局ＳＧＳＮの負荷が所定値を超えた場合、所定数の移動局ＵＥからの各種パケット交換サービス用信号を第２のパケット交換サービス用交換局ＳＧＳＮ＃２に転送する。
【００４４】
また、信号処理部２６は、ＳＧＳＮ状態監視部２５によってパケット交換サービス用交換局ＳＧＳＮ＃１に対してアクセス不能であることを検知した場合、パケット交換サービス用交換局ＳＧＳＮ＃１に関連付けられている移動局ＵＥからの特定信号をパケット交換サービス用交換局ＳＧＳＮ＃２に転送し、パケット交換サービス用交換局ＳＧＳＮ＃１に関連付けられている移動局ＵＥからの特定信号以外の信号をパケット交換サービス用交換局ＳＧＳＮ＃１に転送するように構成されていてもよい。
【００４５】
具体的には、信号処理部２６は、ＳＧＳＮ状態監視部２５によってパケット交換サービス用交換局ＳＧＳＮ＃１に対してアクセス不能であることを検知した場合（例えば、パケット交換サービス用交換局ＳＧＳＮ＃１の付加が所定の閾値を超えた場合等）、パケット交換サービス用交換局ＳＧＳＮ＃１に関連付けられている移動局ＵＥからの全ての信号をパケット交換サービス用交換局ＳＧＳＮ＃２に転送するのではなく、特定の信号のみをパケット交換サービス用交換局ＳＧＳＮ＃２に転送する。
【００４６】
（本実施形態に係る移動通信システムの動作）
図２及び図３を参照して、本実施形態に係る移動通信システムの動作について説明する。
【００４７】
ステップＳ１０１において、第１のパケット交換サービス用交換局ＳＧＳＮ＃１及び第２のパケット交換サービス用交換局ＳＧＳＮ＃２によって管理されている位置登録エリアに進入した（又は、かかる位置登録エリア内で電源をＯＮにした）移動局ＵＥ＃１は、無線制御装置ＲＮＣに対して位置登録要求を送信する。
【００４８】
ステップＳ１０２において、無線制御装置ＲＮＣは、第１のパケット交換サービス用交換局ＳＧＳＮ＃１及び第２のパケット交換サービス用交換局ＳＧＳＮ＃２の負荷に応じて、移動局ＵＥ＃１の位置登録先のパケット交換サービス用交換局ＳＧＳＮを、第１のパケット交換サービス用交換局ＳＧＳＮ＃１と決定する。
【００４９】
ステップＳ１０３において、無線制御装置ＲＮＣは、移動局ＵＥ＃１からの位置登録要求を第１のパケット交換サービス用交換局ＳＧＳＮ＃１に転送する。
【００５０】
ステップＳ１０４において、移動局ＵＥ＃１の第１のパケット交換サービス用交換局ＳＧＳＮ＃１に対する位置登録処理が行われる。移動局ＵＥ＃１の第１のパケット交換サービス用交換局ＳＧＳＮ＃１に対する位置登録処理が完了した後、無線制御装置ＲＮＣは、移動局ＵＥ＃１に対して割り当てられたＴＭＳＩと、第１のパケット交換サービス用交換局ＳＧＳＮ＃１とを関連付けて管理する。
【００５１】
ステップＳ１１０において、第１のパケット交換サービス用交換局ＳＧＳＮ＃１において、輻輳又は障害が発生する。ステップＳ１１１において、第１のパケット交換サービス用交換局ＳＧＳＮ＃１は、輻輳又は障害が発生した旨を通知するための状態信号を無線制御装置ＲＮＣに送信する。無線制御装置ＲＮＣは、かかる状態信号によって、第１のパケット交換サービス用交換局ＳＧＳＮ＃１において輻輳又は障害が発生したことを検知する。
【００５２】
ステップＳ１２１において、移動局ＵＥ＃１は、パケット交換サービス用信号を無線制御装置ＲＮＣに送信する。無線制御装置ＲＮＣは、ステップＳ１２２において、移動局ＵＥ＃１の位置登録先である第１のパケット交換サービス用交換局ＳＧＳＮ＃１において輻輳又は障害が発生していることを確認し、ステップＳ１２３において、かかるパケット交換サービス用信号を第２のパケット交換サービス用交換局ＳＧＳＮ＃２に対して転送する。
【００５３】
第２のパケット交換サービス用交換局ＳＧＳＮ＃２は、ステップＳ１２４において、移動局ＵＥ＃１が第２のパケット交換サービス用交換局ＳＧＳＮ＃２に対して位置登録していないことを確認し、ステップＳ１２５において、移動局ＵＥ＃１の位置登録処理を行う。
【００５４】
ここで、第２のパケット交換サービス用交換局ＳＧＳＮ＃２は、移動局ＵＥ＃１に対して位置登録要求を送信するように指示することによって移動局ＵＥ＃１の位置登録処理を行うように構成されていてもよいし、受信したパケット交換サービス用信号を位置登録要求と見なして移動局ＵＥ＃１の位置登録処理を行うように構成されていてもよい。
【００５５】
移動局ＵＥ＃１の第２のパケット交換サービス用交換局ＳＧＳＮ＃２に対する位置登録処理が完了した後、無線制御装置ＲＮＣは、移動局ＵＥ＃１に対して新たに割り当てられたＴＭＳＩと、第２のパケット交換サービス用交換局ＳＧＳＮ＃２とを関連付けて管理する。
【００５６】
その後、無線制御装置ＲＮＣは、第１のパケット交換サービス用交換局ＳＧＳＮが復旧してアクセス可能となったことが検知された場合、移動局ＵＥ＃１からのパケット交換用サービス信号を、第１のパケット交換サービス用交換局ＳＧＳＮ＃１に転送する。そして、第１のパケット交換サービス用交換局ＳＧＳＮ＃１は、移動局ＵＥ＃１の第１のパケット交換サービス用交換局ＳＧＳＮ＃１に対する位置登録処理を行う。
【００５７】
また、第１のパケット交換サービス用交換局ＳＧＳＮ＃１の負荷が所定値を超えた場合、第１のパケット交換サービス用交換局ＳＧＳＮ＃１に位置登録されている全ての移動局ＵＥのパケット交換用サービス信号を、第２のパケット交換サービス用交換局ＳＧＳＮ＃２に転送するのではなく、第１のパケット交換サービス用交換局ＳＧＳＮ＃１の負荷状況に応じた所定数の移動局ＵＥのパケット交換用サービス信号を、第２のパケット交換サービス用交換局ＳＧＳＮ＃２に転送する。
【００５８】
なお、本実施形態では、第１の交換局及び第２の交換局が、パケット交換サービス用交換局ＳＧＳＮである場合の例について説明したが、本発明は、これに限定されるものではなく、第１の交換局及び第２の交換局が、回線交換サービス用交換局ＭＳＣ/ＶＬＲである場合にも同様に適用することができる。
【００５９】
（本実施形態に係る移動通信システムの作用・効果）
本実施形態に係る移動通信システムによれば、第１のパケット交換サービス用交換局ＳＧＳＮ＃１において輻輳や障害が発生した場合に、同一の位置登録エリアを管理する第２のパケット交換サービス用交換局ＳＧＳＮ＃２に位置登録している移動局ＵＥ＃２が、本来アクセス可能である第２のパケット交換サービス用交換局ＳＧＳＮ＃２に対してアクセスを行うことができる移動通信方法、及び、かかる移動通信方法に用いられる無線制御装置を提供することができる。
【図面の簡単な説明】
【００６０】
【図１】本発明の一実施形態に係る無線制御装置の機能ブロック図である。
【図２】本発明の一実施形態に係る移動通信システムの動作を示すシーケンス図である。
【図３】本発明の一実施形態に係る移動通信システムの動作を説明するための図である。
【図４】従来技術に係る移動通信システムの全体構成及び動作を説明するための図である。
【符号の説明】
【００６１】
ＵＥ＃１、ＵＥ＃２…移動局
ＲＮＣ…無線制御装置
ＢＳ…基地局
ＳＧＳＮ＃１、ＳＧＳＮ＃２…パケット交換サービス用交換局
２１…ＳＧＳＮ＃１インターフェイス
２２…ＳＧＳＮ＃２インターフェイス
２３…ＵＥインターフェイス
２４…ＵＥ管理部
２５…ＳＧＳＮ状態監視部
２６…信号処理部
【図１】
2005295234.tif 000003
【図２】
2005295234.tif 000004
【図３】
2005295234.tif 000005
【図４】
2005295234.tif 000006